(57)【要約】【課題】保険会社および各代理店の双方の個別事情に対応した臨機応変な保険料の精算手段を選択することのできるシステム等を提供することを課題とする。【解決手段】本発明にかかるシステムは、代理店が回収した保険料の精算処理を実行する保険料精算システム１００と、代理店の情報端末装置である代理店用端末装置２００と、保険会社の各種業務処理を実行する保険会社センターシステム２５０と、各種の金融処理を実行する金融機関システム４００とを、ネットワーク３００を介して通信可能に接続して構成されている。【選択図】      図２
2004152080.tif 000002
【特許請求の範囲】
【請求項１】
代理店が回収した保険料の精算処理を実行する保険料精算システムであって、
上記代理店に対して、上記保険料の精算時の支払条件を指示させる支払条件指示手段と、
上記代理店の代理店用端末装置から上記保険料の精算情報を受信する精算情報受信手段と、
上記支払条件指示手段にて指示された上記支払条件に従って、上記精算情報から振替情報、引落情報、または、振込情報を作成して、当該支払条件にて指定された金融機関システムに対して送信することにより、当該金融機関システムに対して上記保険料の決済を依頼する決済処理手段と、
を備えたことを特徴とする保険料精算システム。
【請求項２】
上記支払条件は、Ｗｅｂ振替、自動引落、または、インターネット振込のうちいずれかの決済方法に関する条件であること、
を特徴とする請求項１に記載の保険料精算システム。
【請求項３】
決済を行った上記金融機関システムから支払結果を受信し、当該支払結果が正常に実行されたか否かを確認する支払結果確認手段、
をさらに備えたことを特徴とする請求項１または２に記載の保険料精算システム。
【請求項４】
代理店が回収した保険料の精算処理を実行する保険料精算方法であって、
上記代理店に対して、上記保険料の精算時の支払条件を指示させる支払条件指示ステップと、
上記代理店の代理店用端末装置から上記保険料の精算情報を受信する精算情報受信ステップと、
上記支払条件指示ステップにて指示された上記支払条件に従って、上記精算情報から振替情報、引落情報、または、振込情報を作成して、当該支払条件にて指定された金融機関システムに対して送信することにより、当該金融機関システムに対して上記保険料の決済を依頼する決済処理ステップと、
を含むことを特徴とする保険料精算方法。
【請求項５】
上記支払条件は、Ｗｅｂ振替、自動引落、または、インターネット振込のうちいずれかの決済方法に関する条件であること、
を特徴とする請求項４に記載の保険料精算方法。
【請求項６】
決済を行った上記金融機関システムから支払結果を受信し、当該支払結果が正常に実行されたか否かを確認する支払結果確認ステップ、
をさらに含むことを特徴とする請求項４または５に記載の保険料精算方法。
【請求項７】
代理店が回収した保険料の精算処理を実行するプログラムであって、
上記代理店に対して、上記保険料の精算時の支払条件を指示させる支払条件指示ステップと、
上記代理店の代理店用端末装置から上記保険料の精算情報を受信する精算情報受信ステップと、
上記支払条件指示ステップにて指示された上記支払条件に従って、上記精算情報から振替情報、引落情報、または、振込情報を作成して、当該支払条件にて指定された金融機関システムに対して送信することにより、当該金融機関システムに対して上記保険料の決済を依頼する決済処理ステップと、
を含む保険料精算方法をコンピュータに実行させることを特徴とするプログラム。
【請求項８】
上記支払条件は、Ｗｅｂ振替、自動引落、または、インターネット振込のうちいずれかの決済方法に関する条件であること、
を特徴とする請求項７に記載のプログラム。
【請求項９】
決済を行った上記金融機関システムから支払結果を受信し、当該支払結果が正常に実行されたか否かを確認する支払結果確認ステップ、
をさらに含むことを特徴とする請求項７または８に記載のプログラム。
【請求項１０】
上記請求項７〜９のいずれか一つに記載されたプログラムを記録したことを特徴とするコンピュータ読み取り可能な記録媒体。
【請求項１１】
フランチャイジーが回収したフランチャイズ料の精算処理を実行するフランチャイズ料精算システムであって、
上記フランチャイジーに対して、上記フランチャイズ料の精算時の支払条件を指示させる支払条件指示手段と、
上記フランチャイジーのフランチャイジー用端末装置から上記フランチャイズ料の精算情報を受信する精算情報受信手段と、
上記支払条件指示手段にて指示された上記支払条件に従って、上記精算情報から振替情報、引落情報、または、振込情報を作成して、当該支払条件にて指定された金融機関システムに対して送信することにより、当該金融機関システムに対して上記フランチャイズ料の決済を依頼する決済処理手段と、
を備えたことを特徴とするフランチャイズ料精算システム。
【請求項１２】
上記支払条件は、Ｗｅｂ振替、自動引落、または、インターネット振込のうちいずれかの決済方法に関する条件であること、
を特徴とする請求項１１に記載のフランチャイズ料精算システム。
【請求項１３】
決済を行った上記金融機関システムから支払結果を受信し、当該支払結果が正常に実行されたか否かを確認する支払結果確認手段、
をさらに備えたことを特徴とする請求項１１または１２に記載のフランチャイズ料精算システム。
【請求項１４】
フランチャイジーが回収したフランチャイズ料の精算処理を実行するフランチャイズ料精算方法であって、
上記フランチャイジーに対して、上記フランチャイズ料の精算時の支払条件を指示させる支払条件指示ステップと、
上記フランチャイジーのフランチャイジー用端末装置から上記フランチャイズ料の精算情報を受信する精算情報受信ステップと、
上記支払条件指示ステップにて指示された上記支払条件に従って、上記精算情報から振替情報、引落情報、または、振込情報を作成して、当該支払条件にて指定された金融機関システムに対して送信することにより、当該金融機関システムに対して上記フランチャイズ料の決済を依頼する決済処理ステップと、
を含むことを特徴とするフランチャイズ料精算方法。
【請求項１５】
上記支払条件は、Ｗｅｂ振替、自動引落、または、インターネット振込のうちいずれかの決済方法に関する条件であること、
を特徴とする請求項１４に記載のフランチャイズ料精算方法。
【請求項１６】
決済を行った上記金融機関システムから支払結果を受信し、当該支払結果が正常に実行されたか否かを確認する支払結果確認ステップ、
をさらに含むことを特徴とする請求項１４または１５に記載のフランチャイズ料精算方法。
【請求項１７】
フランチャイジーが回収したフランチャイズ料の精算処理を実行するプログラムであって、
上記フランチャイジーに対して、上記フランチャイズ料の精算時の支払条件を指示させる支払条件指示ステップと、
上記フランチャイジーのフランチャイジー用端末装置から上記フランチャイズ料の精算情報を受信する精算情報受信ステップと、
上記支払条件指示ステップにて指示された上記支払条件に従って、上記精算情報から振替情報、引落情報、または、振込情報を作成して、当該支払条件にて指定された金融機関システムに対して送信することにより、当該金融機関システムに対して上記フランチャイズ料の決済を依頼する決済処理ステップと、
を含むフランチャイズ料精算方法をコンピュータに実行させることを特徴とするプログラム。
【請求項１８】
上記支払条件は、Ｗｅｂ振替、自動引落、または、インターネット振込のうちいずれかの決済方法に関する条件であること、
を特徴とする請求項１７に記載のプログラム。
【請求項１９】
決済を行った上記金融機関システムから支払結果を受信し、当該支払結果が正常に実行されたか否かを確認する支払結果確認ステップ、
をさらに含むことを特徴とする請求項１７または１８に記載のプログラム。
【請求項２０】
上記請求項１７〜１９のいずれか一つに記載されたプログラムを記録したことを特徴とするコンピュータ読み取り可能な記録媒体。
【発明の詳細な説明】
【０００１】
【発明の属する技術分野】
本発明は、保険料精算システム、保険料精算方法、プログラム、および、記録媒体に関し、特に、保険会社および各代理店の双方の個別事情に対応した臨機応変な保険料の精算手段を選択することのできる保険料精算システム、保険料精算方法、プログラム、および、記録媒体に関する。
【０００２】
また、本発明は、フランチャイズ料精算システム、フランチャイズ料精算方法、プログラム、および、記録媒体に関し、特に、フランチャイザーおよび各フランチャイジーの双方の個別事情に対応した臨機応変なフランチャイズ料の精算手段を選択することのできるフランチャイズ料精算システム、フランチャイズ料精算方法、プログラム、および、記録媒体に関する。
【０００３】
なお、本明細書において、「代理店」の用語は、保険会社が保険契約や保険料回収などの業務を委託した者の意味で用いており、生命保険や損害保険などを扱う保険会社が個別に業務委託した代理店（代理店が個人の場合には当該個人、また、代理店が法人の場合にはその法人に属する営業担当者など）の他、保険会社の営業担当者を含む概念である。
【０００４】
【従来の技術】
従来より、企業等の保険会社が、代理店に対して保険料回収業務を委託することが行われている。
【０００５】
ここで、代理店は、保険会社からファックス装置や電子メールや郵送等により送付された保険料回収書等に基づいて、保険者から保険料の回収業務を行い、徴収した保険料を保険会社に送金する必要がある。この場合の送金手段としては、銀行などの金融機関の振込みサービスを用いて保険会社の収納用の契約口座に入金することが一般的に行われている。
【０００６】
【発明が解決しようとする課題】
しかしながら、このような従来の保険料回収サービスは、以下の構造上の基本的問題点を有していた。
【０００７】
まず、保険会社から保険料回収書の送付により代理店に回収業務の指示を行っているが、指示の徹底や進捗の確認などに人手と時間と費用がかかるという問題点がある。すなわち、一般に保険会社は、数千から数万の代理店と契約を行い保険に関する業務委託を行うことが通常であるため、各代理店の保険料回収業務の進捗確認などが非常に煩雑になっている。
【０００８】
また、代理店では、回収業務を顧客（保険者）に対して遂行し、顧客（保険者）から徴収した保険料を保険会社の収納用の契約口座に振り込まなければならないが、保険料回収業務の内容によっては銀行の営業時間内に振り込めない場合も多く、不便であるという問題点がある。すなわち、金融機関の振込みサービスは一般に金融機関の営業時間内（９時〜１５時等）しか提供されないため、代理店では平日の昼間帯に金融機関に必ず行く必要があるため保険料回収業務の遂行に支障を来たす場合も多く、また、夜間に料金を集金したときには翌日まで料金の振込を待つ必要があった。
【０００９】
また、自己の契約口座に代理店から料金の振込みを受けた保険会社は、どの業務に対する振込みであるかを確認することが困難であり、入金の消し込み作業が煩雑であるという問題点がある。すなわち、金融機関の振込みサービスでは、通常、振込者と振込金額しかわからないため、複数の業務を代理店に委託した場合には、保険会社においてどの保険料回収業務に対する振込かを特定し帳簿上で入金の消し込みを行うことが困難であった。
【００１０】
また、保険会社および代理店の双方にとって都合がよい決済処理手段（例えば、振替、振込、自動引落など）を選択することは、代理店の管理システム等の都合や保険会社の事務処理上の制約からできない場合が多く、各代理店の個別事情などに対応した臨機応変な保険料の精算手段を選択することができなかった。
【００１１】
このように、数々の問題点を有しており、その結果、保険会社および代理店のいずれにとっても、利便性が悪く、また、利用効率が悪いものであった。
【００１２】
さらに、フランチャイザー（フランチャイズ本店など）が各フランチャイジーからフランチャイズ料を徴収する際にも、上述した保険会社が各代理店から保険料を徴収するときと同様の問題点があった。
【００１３】
本発明は上記問題点に鑑みてなされたもので、保険会社および各代理店の双方の個別事情に対応した臨機応変な保険料の精算手段を選択することのできる、保険料精算システム、保険料精算方法、プログラム、および、記録媒体を提供することを目的としている。
【００１４】
また、本発明は上記問題点に鑑みてなされたもので、フランチャイザーおよび各フランチャイジーの双方の個別事情に対応した臨機応変なフランチャイズ料の精算手段を選択することのできる、フランチャイズ料精算システム、フランチャイズ料精算方法、プログラム、および、記録媒体を提供することを目的としている。
【００１５】
【課題を解決するための手段】
このような目的を達成するため、請求項１に記載の保険料精算システムは、代理店が回収した保険料の精算処理を実行する保険料精算システムであって、上記代理店に対して、上記保険料の精算時の支払条件を指示させる支払条件指示手段と、上記代理店の代理店用端末装置から上記保険料の精算情報を受信する精算情報受信手段と、上記支払条件指示手段にて指示された上記支払条件に従って、上記精算情報から振替情報、引落情報、または、振込情報を作成して、当該支払条件にて指定された金融機関システムに対して送信することにより、当該金融機関システムに対して上記保険料の決済を依頼する決済処理手段とを備えたことを特徴とする。
【００１６】
このシステムによれば、代理店に対して、保険料の精算時の支払条件を指示させ、代理店の代理店用端末装置から保険料の精算情報を受信し、指示された支払条件に従って、精算情報から振替情報、引落情報、または、振込情報を作成して、当該支払条件にて指定された金融機関システムに対して送信することにより、当該金融機関システムに対して保険料の決済を依頼するので、保険会社および各代理店の双方の個別事情に対応した臨機応変な保険料の精算手段を選択することができる。
【００１７】
また、このシステムによれば、既存の代理店システムや、金融機関システムの機能を有効に利用、組合せし、多機能な精算処理を実現することができる。すなわち、従来の代理店業務システムや金融機関システムの改造の負荷を最小限にし、かつ、初期コストやランニングコストを最小限にすることができる。また、将来の機能変更に対して柔軟性、拡張性を持たせることができる。
【００１８】
また、請求項２に記載の保険料精算システムは、請求項１に記載の保険料精算システムにおいて、上記支払条件は、Ｗｅｂ振替、自動引落、または、インターネット振込のうちいずれかの決済方法に関する条件であることを特徴とする。
【００１９】
これは支払条件の一例を一層具体的に示すものである。このシステムによれば、支払条件は、Ｗｅｂ振替、自動引落、または、インターネット振込のうちいずれかの決済方法に関する条件であるので、代理店は、これらの既存の決済方法から任意の精算方法を選択することができるようになる。
【００２０】
また、請求項３に記載の保険料精算システムは、請求項１または２に記載の保険料精算システムにおいて、決済を行った上記金融機関システムから支払結果を受信し、当該支払結果が正常に実行されたか否かを確認する支払結果確認手段をさらに備えたことを特徴とする。
【００２１】
このシステムによれば、決済を行った金融機関システムから支払結果を受信し、当該支払結果が正常に実行されたか否かを確認するので、決済結果の確認をスムーズに行うことができるようになり、さらに、代理店や保険会社に対して確認結果を通知することができるようになる。
【００２２】
また、本発明は保険料精算方法に関するものであり、請求項４に記載の保険料精算方法は、代理店が回収した保険料の精算処理を実行する保険料精算方法であって、上記代理店に対して、上記保険料の精算時の支払条件を指示させる支払条件指示ステップと、上記代理店の代理店用端末装置から上記保険料の精算情報を受信する精算情報受信ステップと、上記支払条件指示ステップにて指示された上記支払条件に従って、上記精算情報から振替情報、引落情報、または、振込情報を作成して、当該支払条件にて指定された金融機関システムに対して送信することにより、当該金融機関システムに対して上記保険料の決済を依頼する決済処理ステップとを含むことを特徴とする。
【００２３】
この方法によれば、代理店に対して、保険料の精算時の支払条件を指示させ、代理店の代理店用端末装置から保険料の精算情報を受信し、指示された支払条件に従って、精算情報から振替情報、引落情報、または、振込情報を作成して、当該支払条件にて指定された金融機関システムに対して送信することにより、当該金融機関システムに対して保険料の決済を依頼するので、保険会社および各代理店の双方の個別事情に対応した臨機応変な保険料の精算手段を選択することができる。
【００２４】
また、この方法によれば、既存の代理店システムや、金融機関システムの機能を有効に利用、組合せし、多機能な精算処理を実現することができる。すなわち、従来の代理店業務システムや金融機関システムの改造の負荷を最小限にし、かつ、初期コストやランニングコストを最小限にすることができる。また、将来の機能変更に対して柔軟性、拡張性を持たせることができる。
【００２５】
また、請求項５に記載の保険料精算方法は、請求項４に記載の保険料精算方法において、上記支払条件は、Ｗｅｂ振替、自動引落、または、インターネット振込のうちいずれかの決済方法に関する条件であることを特徴とする。
【００２６】
これは支払条件の一例を一層具体的に示すものである。この方法によれば、支払条件は、Ｗｅｂ振替、自動引落、または、インターネット振込のうちいずれかの決済方法に関する条件であるので、代理店は、これらの既存の決済方法から任意の精算方法を選択することができるようになる。
【００２７】
また、請求項６に記載の保険料精算方法は、請求項４または５に記載の保険料精算方法において、決済を行った上記金融機関システムから支払結果を受信し、当該支払結果が正常に実行されたか否かを確認する支払結果確認ステップをさらに含むことを特徴とする。
【００２８】
この方法によれば、決済を行った金融機関システムから支払結果を受信し、当該支払結果が正常に実行されたか否かを確認するので、決済結果の確認をスムーズに行うことができるようになり、さらに、代理店や保険会社に対して確認結果を通知することができるようになる。
【００２９】
また、本発明はプログラムに関するものであり、請求項７に記載のプログラムは、代理店が回収した保険料の精算処理を実行するプログラムであって、上記代理店に対して、上記保険料の精算時の支払条件を指示させる支払条件指示ステップと、上記代理店の代理店用端末装置から上記保険料の精算情報を受信する精算情報受信ステップと、上記支払条件指示ステップにて指示された上記支払条件に従って、上記精算情報から振替情報、引落情報、または、振込情報を作成して、当該支払条件にて指定された金融機関システムに対して送信することにより、当該金融機関システムに対して上記保険料の決済を依頼する決済処理ステップとを含む保険料精算方法をコンピュータに実行させることを特徴とする。
【００３０】
このプログラムによれば、代理店に対して、保険料の精算時の支払条件を指示させ、代理店の代理店用端末装置から保険料の精算情報を受信し、指示された支払条件に従って、精算情報から振替情報、引落情報、または、振込情報を作成して、当該支払条件にて指定された金融機関システムに対して送信することにより、当該金融機関システムに対して保険料の決済を依頼するので、保険会社および各代理店の双方の個別事情に対応した臨機応変な保険料の精算手段を選択することができる。
【００３１】
また、このプログラムによれば、既存の代理店システムや、金融機関システムの機能を有効に利用、組合せし、多機能な精算処理を実現することができる。すなわち、従来の代理店業務システムや金融機関システムの改造の負荷を最小限にし、かつ、初期コストやランニングコストを最小限にすることができる。また、将来の機能変更に対して柔軟性、拡張性を持たせることができる。
【００３２】
また、請求項８に記載のプログラムは、請求項７に記載のプログラムにおいて、上記支払条件は、Ｗｅｂ振替、自動引落、または、インターネット振込のうちいずれかの決済方法に関する条件であることを特徴とする。
【００３３】
これは支払条件の一例を一層具体的に示すものである。このプログラムによれば、支払条件は、Ｗｅｂ振替、自動引落、または、インターネット振込のうちいずれかの決済方法に関する条件であるので、代理店は、これらの既存の決済方法から任意の精算方法を選択することができるようになる。
【００３４】
また、請求項９に記載のプログラムは、請求項７または８に記載のプログラムにおいて、決済を行った上記金融機関システムから支払結果を受信し、当該支払結果が正常に実行されたか否かを確認する支払結果確認ステップをさらに含むことを特徴とする。
【００３５】
このプログラムによれば、決済を行った金融機関システムから支払結果を受信し、当該支払結果が正常に実行されたか否かを確認するので、決済結果の確認をスムーズに行うことができるようになり、さらに、代理店や保険会社に対して確認結果を通知することができるようになる。
【００３６】
また、本発明は記録媒体に関するものであり、請求項１０に記載の記録媒体は、上記請求項７〜９のいずれか一つに記載されたプログラムをコンピュータに実行させるためのプログラムを記録したことを特徴とする。
【００３７】
この記録媒体によれば、当該記録媒体に記録されたプログラムをコンピュータに読み取らせて実行することによって、請求項７〜９のいずれか一つに記載されたプログラムをコンピュータを利用して実現することができ、これら各プログラムと同様の効果を得ることができる。
【００３８】
また、本発明はフランチャイズ料精算システムに関するものであり、請求項１１に記載のフランチャイズ料精算システムは、フランチャイジーが回収したフランチャイズ料の精算処理を実行するフランチャイズ料精算システムであって、上記フランチャイジーに対して、上記フランチャイズ料の精算時の支払条件を指示させる支払条件指示手段と、上記フランチャイジーのフランチャイジー用端末装置から上記フランチャイズ料の精算情報を受信する精算情報受信手段と、上記支払条件指示手段にて指示された上記支払条件に従って、上記精算情報から振替情報、引落情報、または、振込情報を作成して、当該支払条件にて指定された金融機関システムに対して送信することにより、当該金融機関システムに対して上記フランチャイズ料の決済を依頼する決済処理手段とを備えたことを特徴とする。
【００３９】
このシステムによれば、フランチャイジーに対して、フランチャイズ料の精算時の支払条件を指示させ、フランチャイジーのフランチャイジー用端末装置からフランチャイズ料の精算情報を受信し、指示された支払条件に従って、精算情報から振替情報、引落情報、または、振込情報を作成して、当該支払条件にて指定された金融機関システムに対して送信することにより、当該金融機関システムに対してフランチャイズ料の決済を依頼するので、フランチャイザーおよび各フランチャイジーの双方の個別事情に対応した臨機応変なフランチャイズ料の精算手段を選択することができる。
【００４０】
また、このシステムによれば、既存のフランチャイジーシステムや、金融機関システムの機能を有効に利用、組合せし、多機能な精算処理を実現することができる。すなわち、従来のフランチャイジー業務システムや金融機関システムの改造の負荷を最小限にし、かつ、初期コストやランニングコストを最小限にすることができる。また、将来の機能変更に対して柔軟性、拡張性を持たせることができる。
【００４１】
また、請求項１２に記載のフランチャイズ料精算システムは、請求項１１に記載のフランチャイズ料精算システムにおいて、上記支払条件は、Ｗｅｂ振替、自動引落、または、インターネット振込のうちいずれかの決済方法に関する条件であることを特徴とする。
【００４２】
これは支払条件の一例を一層具体的に示すものである。このシステムによれば、支払条件は、Ｗｅｂ振替、自動引落、または、インターネット振込のうちいずれかの決済方法に関する条件であるので、フランチャイジーは、これらの既存の決済方法から任意の精算方法を選択することができるようになる。
【００４３】
また、請求項１３に記載のフランチャイズ料精算システムは、請求項１１または１２に記載のフランチャイズ料精算システムにおいて、決済を行った上記金融機関システムから支払結果を受信し、当該支払結果が正常に実行されたか否かを確認する支払結果確認手段をさらに備えたことを特徴とする。
【００４４】
このシステムによれば、決済を行った金融機関システムから支払結果を受信し、当該支払結果が正常に実行されたか否かを確認するので、決済結果の確認をスムーズに行うことができるようになり、さらに、フランチャイジーやフランチャイザーに対して確認結果を通知することができるようになる。
【００４５】
また、本発明はフランチャイズ料精算方法に関するものであり、請求項１４に記載のフランチャイズ料精算方法は、フランチャイジーが回収したフランチャイズ料の精算処理を実行するフランチャイズ料精算方法であって、上記フランチャイジーに対して、上記フランチャイズ料の精算時の支払条件を指示させる支払条件指示ステップと、上記フランチャイジーのフランチャイジー用端末装置から上記フランチャイズ料の精算情報を受信する精算情報受信ステップと、上記支払条件指示ステップにて指示された上記支払条件に従って、上記精算情報から振替情報、引落情報、または、振込情報を作成して、当該支払条件にて指定された金融機関システムに対して送信することにより、当該金融機関システムに対して上記フランチャイズ料の決済を依頼する決済処理ステップとを含むことを特徴とする。
【００４６】
この方法によれば、フランチャイジーに対して、フランチャイズ料の精算時の支払条件を指示させ、フランチャイジーのフランチャイジー用端末装置からフランチャイズ料の精算情報を受信し、指示された支払条件に従って、精算情報から振替情報、引落情報、または、振込情報を作成して、当該支払条件にて指定された金融機関システムに対して送信することにより、当該金融機関システムに対してフランチャイズ料の決済を依頼するので、フランチャイザーおよび各フランチャイジーの双方の個別事情に対応した臨機応変なフランチャイズ料の精算手段を選択することができる。
【００４７】
また、この方法によれば、既存のフランチャイジーシステムや、金融機関システムの機能を有効に利用、組合せし、多機能な精算処理を実現することができる。すなわち、従来のフランチャイジー業務システムや金融機関システムの改造の負荷を最小限にし、かつ、初期コストやランニングコストを最小限にすることができる。また、将来の機能変更に対して柔軟性、拡張性を持たせることができる。
【００４８】
また、請求項１５に記載のフランチャイズ料精算方法は、請求項１４に記載のフランチャイズ料精算方法において、上記支払条件は、Ｗｅｂ振替、自動引落、または、インターネット振込のうちいずれかの決済方法に関する条件であることを特徴とする。
【００４９】
これは支払条件の一例を一層具体的に示すものである。この方法によれば、支払条件は、Ｗｅｂ振替、自動引落、または、インターネット振込のうちいずれかの決済方法に関する条件であるので、フランチャイジーは、これらの既存の決済方法から任意の精算方法を選択することができるようになる。
【００５０】
また、請求項１６に記載のフランチャイズ料精算方法は、請求項１４または１５に記載のフランチャイズ料精算方法において、決済を行った上記金融機関システムから支払結果を受信し、当該支払結果が正常に実行されたか否かを確認する支払結果確認ステップをさらに含むことを特徴とする。
【００５１】
この方法によれば、決済を行った金融機関システムから支払結果を受信し、当該支払結果が正常に実行されたか否かを確認するので、決済結果の確認をスムーズに行うことができるようになり、さらに、フランチャイジーやフランチャイザーに対して確認結果を通知することができるようになる。
【００５２】
また、本発明はプログラムに関するものであり、請求項１７に記載のプログラムは、フランチャイジーが回収したフランチャイズ料の精算処理を実行するプログラムであって、上記フランチャイジーに対して、上記フランチャイズ料の精算時の支払条件を指示させる支払条件指示ステップと、上記フランチャイジーのフランチャイジー用端末装置から上記フランチャイズ料の精算情報を受信する精算情報受信ステップと、上記支払条件指示ステップにて指示された上記支払条件に従って、上記精算情報から振替情報、引落情報、または、振込情報を作成して、当該支払条件にて指定された金融機関システムに対して送信することにより、当該金融機関システムに対して上記フランチャイズ料の決済を依頼する決済処理ステップとを含むフランチャイズ料精算方法をコンピュータに実行させることを特徴とする。
【００５３】
このプログラムによれば、フランチャイジーに対して、フランチャイズ料の精算時の支払条件を指示させ、フランチャイジーのフランチャイジー用端末装置からフランチャイズ料の精算情報を受信し、指示された支払条件に従って、精算情報から振替情報、引落情報、または、振込情報を作成して、当該支払条件にて指定された金融機関システムに対して送信することにより、当該金融機関システムに対してフランチャイズ料の決済を依頼するので、フランチャイザーおよび各フランチャイジーの双方の個別事情に対応した臨機応変なフランチャイズ料の精算手段を選択することができる。
【００５４】
また、このプログラムによれば、既存のフランチャイジーシステムや、金融機関システムの機能を有効に利用、組合せし、多機能な精算処理を実現することができる。すなわち、従来のフランチャイジー業務システムや金融機関システムの改造の負荷を最小限にし、かつ、初期コストやランニングコストを最小限にすることができる。また、将来の機能変更に対して柔軟性、拡張性を持たせることができる。
【００５５】
また、請求項１８に記載のプログラムは、請求項１７に記載のプログラムにおいて、上記支払条件は、Ｗｅｂ振替、自動引落、または、インターネット振込のうちいずれかの決済方法に関する条件であることを特徴とする。
【００５６】
これは支払条件の一例を一層具体的に示すものである。このプログラムによれば、支払条件は、Ｗｅｂ振替、自動引落、または、インターネット振込のうちいずれかの決済方法に関する条件であるので、フランチャイジーは、これらの既存の決済方法から任意の精算方法を選択することができるようになる。
【００５７】
また、請求項１９に記載のプログラムは、請求項１７または１８に記載のプログラムにおいて、決済を行った上記金融機関システムから支払結果を受信し、当該支払結果が正常に実行されたか否かを確認する支払結果確認ステップをさらに含むことを特徴とする。
【００５８】
このプログラムによれば、決済を行った金融機関システムから支払結果を受信し、当該支払結果が正常に実行されたか否かを確認するので、決済結果の確認をスムーズに行うことができるようになり、さらに、フランチャイジーやフランチャイザーに対して確認結果を通知することができるようになる。
【００５９】
また、本発明は記録媒体に関するものであり、請求項２０に記載の記録媒体は、上記請求項１７〜１９のいずれか一つに記載されたプログラムをコンピュータに実行させるためのプログラムを記録したことを特徴とする。
【００６０】
この記録媒体によれば、当該記録媒体に記録されたプログラムをコンピュータに読み取らせて実行することによって、請求項１７〜１９のいずれか一つに記載されたプログラムをコンピュータを利用して実現することができ、これら各プログラムと同様の効果を得ることができる。
【００６１】
【発明の実施の形態】
以下に、本発明にかかる保険料精算システム、保険料精算方法、フランチャイズ料精算システム、フランチャイズ料精算方法、プログラム、および、記録媒体の実施の形態を図面に基づいて詳細に説明する。なお、この実施の形態によりこの発明が限定されるものではない。
【００６２】
また、以下の説明では、保険料精算システム、保険料精算方法について主に説明するが、「保険会社」を「フランチャイザー」に、「代理店」を「フランチャイジー」に、「保険料」を「フランチャイズ料」に適宜置換することにより、フランチャイズ料精算システムおよびフランチャイズ料精算方法について同様に説明することができるため、その説明を便宜上省略する。
【００６３】
［本システムの概要］
以下、本システムの概要について説明し、その後、本システムの構成および処理等について詳細に説明する。図１は本システムの全体構成の一例を示すブロック図であり、該システム構成のうち本発明に関係する部分のみを概念的に示している。また、図２は、本発明の基本原理を説明する概念図である。
【００６４】
本システムは、概略的に、代理店が回収した保険料の精算処理を実行する保険料精算システム１００と、代理店の情報端末装置である代理店用端末装置２００と、保険会社の各種業務処理を実行する保険会社センターシステム２５０と、各種の金融処理を実行する金融機関システム４００とを、ネットワーク３００を介して通信可能に接続して構成されている。
【００６５】
このシステムは、概略的に、以下の基本的特徴を有する。図２に示すように、代理店用端末装置２００は保険料精算システム１００の提供するＷｅｂサイトにアクセスして、代理店システムのＷｅｂ画面に従って精算情報を送信する（ステップＳＡ−１）。
【００６６】
保険料精算システム１００は、予め各代理店に対して、保険料の精算時の支払条件を指示させ、支払条件を格納しておく。支払条件は、例えば、Ｗｅｂ振替、自動引落、または、インターネット振込のうちいずれかの決済方法に関する条件や、決済を行う金融機関名および口座番号などに関する条件などを含んでいる。
なお、支払条件の指示は、ステップＳＡ−１の後に行ってもよく、その実行順序は任意である。
【００６７】
ここで、「Ｗｅｂ振替」とは、金融機関システム４００が提供するＷｅｂ振替サービスを用いて、代理店口座への入金済み保険料を当日中に保険会社口座に振り替える決済方法をいう。
【００６８】
また、「自動引落」とは、金融機関システム４００が提供する引落サービスを用いて、代理店口座への入金済み保険料を当日１７時までに完了処理がされたファイルについては当日中に、また１７時以降に完了処理がされたファイルについては翌日に自動引落を実行する決済方法をいう。
【００６９】
また、「インターネット振込」とは、金融機関システム４００が提供する振込サービスを用いて、インターネット上で代理店口座から保険会社口座に対して保険料の振込を指示し、振込処理を実行する決済方法をいう。
【００７０】
そして、保険料精算システム１００は、代理店用端末装置２００から各代理店の精算情報を受信すると、各代理店が事前登録した支払金融機関と決済（支払）方法に対応するＷｅｂ画面を選択し、代理店用端末装置２００に送信する（ステップＳＡ−２）。
【００７１】
そして、代理店が決済方法として「Ｗｅｂ振替」を事前登録している場合には、口座保有者である代理店が振替を指示すると（ステップＳＡ−３）、保険料精算システム１００は、代理店の収納口座から保険会社の収納口座へ振替を実行するための振替情報を作成し、当該振替情報を代理店が支払条件で指定した金融機関の金融機関システム４００に対して送信する（ステップＳＡ−４）。
【００７２】
ここで、「振替情報」は、代理店が支払条件で指定した金融機関の金融機関システム４００が定めた所定のフォーマットにて作成される。そして、金融機関システム４００は、公知の技術を用いて振替情報に従って振替処理を実行する。
【００７３】
そして、保険料精算システム１００は、決済を行った金融機関システム４００から支払結果を受信し、当該支払結果が正常に実行されたか否かを確認する（ステップＳＡ−６）。
【００７４】
また、代理店が決済方法として「自動引落」を事前登録している場合には、保険会社が自動引落を指示すると（ステップＳＡ−７）、保険料精算システム１００は、代理店の収納口座から保険会社の収納口座へ自動引落を実行するための引落情報を作成し、当該引落情報を代理店が支払条件で指定した金融機関の金融機関システム４００に対して送信する（ステップＳＡ−８）。
【００７５】
ここで、「引落情報」は、代理店が支払条件で指定した金融機関の金融機関システム４００が定めた所定のフォーマットにて作成される。そして、金融機関システム４００は、公知の技術を用いて引落情報に従って自動引落処理を実行する。
【００７６】
そして、保険料精算システム１００は、決済を行った金融機関システム４００から支払結果を受信し、当該支払結果が正常に実行されたか否かを確認する（ステップＳＡ−９）。
【００７７】
また、代理店が決済方法として「インターネット振込」を事前登録している場合には、口座保有者である代理店が振込を指示すると（ステップＳＡ−１０）、保険料精算システム１００は、代理店の収納口座から保険会社の収納口座へ振込（送金）を実行するための振込情報を作成し、当該振込情報を代理店が支払条件で指定した金融機関の金融機関システム４００に対して送信する（ステップＳＡ−１１）。
【００７８】
ここで、「振込情報」は、代理店が支払条件で指定した金融機関の金融機関システム４００が定めた所定のフォーマットにて作成される。そして、金融機関システム４００は、公知の技術を用いて振込情報に従って振込（送金）処理を実行する。
【００７９】
そして、保険料精算システム１００は、決済を行った金融機関システム４００から支払結果を受信し、当該支払結果が正常に実行されたか否かを確認する（ステップＳＡ−１２）。
【００８０】
そして、保険料精算システム１００は、代理店毎の支払結果明細を作成し、代理店用端末装置２００および／または保険会社センターシステム２５０に対して送信する（ステップＳＡ−１３）。
ここで、各ステップの処理の詳細については後述する。
【００８１】
［システム構成］
以下、このような基本的特徴を具現化するための、本システムの構成について説明する。
【００８２】
［システム構成―保険料精算システム１００］
まず、保険料精算システム１００の構成について説明する。
図３は、本発明が適用される保険料精算システム１００の構成の一例を示すブロック図であり、該構成のうち本発明に関係する部分のみを概念的に示している。図３において保険料精算システム１００は、概略的に、保険料精算システム１００の全体を統括的に制御するＣＰＵ等の制御部１０２、通信回線等に接続されるルータ等の通信装置（図示せず）に接続される通信制御インターフェース部１０４、入出力装置（入力装置１１２および出力装置１１４）に接続される入出力制御インターフェース部１０８、および、各種のデータベースなど（代理店情報データベース１０６ａ〜支払結果明細ファイル１０６ｆ）を格納する記憶部１０６を備えて構成されており、これら各部は任意の通信路を介して通信可能に接続されている。さらに、この保険料精算システム１００は、ルータ等の通信装置および専用線等の有線または無線の通信回線を介して、ネットワーク３００に通信可能に接続されている。
【００８３】
記憶部１０６に格納される各種のデータベース（代理店情報データベース１０６ａ〜支払結果明細ファイル１０６ｆ）は、固定ディスク装置等のストレージ手段であり、各種処理やウェブサイト提供に用いる各種のプログラムやテーブルやファイルやデータベースやウェブページ用ファイル等を格納する。
【００８４】
これら記憶部１０６の各構成要素のうち、代理店情報データベース１０６ａは、代理店に関する情報（代理店情報）を格納する代理店情報格納手段である。図４は、代理店情報データベース１０６ａに格納される代理店情報の一例を示す図である。
【００８５】
この代理店情報データベース１０６ａに格納される情報は、図４に示すように、各代理店を一意に識別するための代理店ＩＤ（番号または名前など）、各代理店が正当な者であるか否かの認証を行うための代理店パスワード、各代理店名、各代理店の所属する所属先を一意に識別するための所属先ＩＤ、各代理店の所属する所属先の部門を一意に識別するための部門ＩＤ、部門名、各代理店の電子メールアドレス、決済機関を一意に識別するための決済機関ＩＤ（番号または名前など）、代理店の収納口座番号、支払方法（Ｗｅｂ振替、自動引落、インターネット振込など）などを相互に関連付けて構成されている。
【００８６】
また、精算情報データベース１０６ｂは、精算情報等を格納する精算情報格納手段である。図５は、精算情報データベース１０６ｂに格納される情報の一例を示す図である。
【００８７】
この精算情報データベース１０６ｂに格納される情報は、図５に示すように、代理店ＩＤ、精算日、商品分類、契約ＩＤ、商品コード、入金受入額等を相互に関連付けて構成されている。
【００８８】
また、振替情報データベース１０６ｃは、振替情報等を格納する振替情報格納手段である。図６は、振替情報データベース１０６ｃに格納される情報の一例を示す図である。
【００８９】
この振替情報データベース１０６ｃに格納される情報は、図６に示すように、代理店ＩＤ、振替日、保険料入金合計、保険分類、件数、金額等を相互に関連付けて構成されている。
【００９０】
また、引落情報データベース１０６ｄは、引落情報等を格納する引落情報格納手段である。図７は、引落情報データベース１０６ｄに格納される情報の一例を示す図である。
【００９１】
この引落情報データベース１０６ｄに格納される情報は、図７に示すように、代理店ＩＤ、引落日、保険料入金合計、保険分類、件数、金額等を相互に関連付けて構成されている。
【００９２】
また、振込情報データベース１０６ｅは、振込情報等を格納する振込情報格納手段である。図８は、振込情報データベース１０６ｅに格納される情報の一例を示す図である。
【００９３】
この振込情報データベース１０６ｅに格納される情報は、図８に示すように、代理店ＩＤ、振込日、保険料入金合計、保険分類、件数、金額等を相互に関連付けて構成されている。
【００９４】
また、支払結果明細ファイル１０６ｆは、支払結果に関する情報等を格納する支払結果情報格納手段である。
【００９５】
この支払結果明細ファイル１０６ｆに格納される情報は、代理店ＩＤ、代理店毎の支払結果明細情報等を相互に関連付けて構成されている。
【００９６】
また、その他の情報として、保険料精算システム１００の記憶部１０６には、ウェブサイトを代理店用端末装置２００に提供するための各種のＷｅｂデータやＣＧＩプログラム等が記録されている。
【００９７】
このＷｅｂデータとしては、後述する各種のＷｅｂページを表示するためのデータ等があり、これらデータは、例えば、ＨＴＭＬやＸＭＬにて記述されたテキストファイルとして形成されている。また、これらのＷｅｂデータを作成するための部品用のファイルや作業用のファイルやその他一時的なファイル等も記憶部１０６に記憶される。
【００９８】
この他、必要に応じて、代理店用端末装置２００に送信するための音声をＷＡＶＥ形式やＡＩＦＦ形式の如き音声ファイルで格納したり、静止画や動画をＪＰＥＧ形式やＭＰＥＧ２形式の如き画像ファイルで格納したりすることができる。
【００９９】
また、図３において、通信制御インターフェース部１０４は、保険料精算システム１００とネットワーク３００（またはルータ等の通信装置）との間における通信制御を行う。すなわち、通信制御インターフェース部１０４は、他の端末と通信回線を介してデータを通信する機能を有する。
【０１００】
また、図３において、入出力制御インターフェース部１０８は、入力装置１１２や出力装置１１４の制御を行う。ここで、出力装置１１４としては、モニタ（家庭用テレビを含む）の他、スピーカを用いることができる（なお、以下においては出力装置１１４をモニタとして記載する）。また、入力装置１１２としては、キーボード、マウス、および、マイク等を用いることができる。また、モニタも、マウスと協働してポインティングデバイス機能を実現する。
【０１０１】
また、図３において、制御部１０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部１０２は、機能概念的に、要求解釈部１０２ａ、閲覧処理部１０２ｂ、認証処理部１０２ｃ、電子メール生成部１０２ｄ、Ｗｅｂページ生成部１０２ｅ、送信部１０２ｆ、支払条件指示部１０２ｇ、精算情報受信部１０２ｈ、決済処理部１０２ｉ、および、支払結果確認部１０２ｊを備えて構成されている。
【０１０２】
このうち、要求解釈部１０２ａは、代理店用端末装置２００からの要求内容を解釈し、その解釈結果に応じて制御部の他の各部に処理を受け渡す要求解釈手段である。
【０１０３】
また、閲覧処理部１０２ｂは、代理店用端末装置２００からの各種画面の閲覧要求を受けて、これら画面のＷｅｂデータの生成や送信を行なう閲覧処理手段である。
【０１０４】
また、認証処理部１０２ｃは、代理店用端末装置２００からの認証要求を受けて、この認証判断を行なう認証処理手段である。
【０１０５】
また、電子メール生成部１０２ｄは、各種の情報を含んだ電子メールを生成する電子メール生成手段である。
【０１０６】
また、Ｗｅｂページ生成部１０２ｅは、利用者が閲覧するＷｅｂページを生成するＷｅｂページ生成手段である。
【０１０７】
また、送信部１０２ｆは、各種の情報を当該利用者の代理店用端末装置２００に送信する送信手段である。
【０１０８】
また、支払条件指示部１０２ｇは、代理店に対して、保険料の精算時の支払条件を指示させる支払条件指示手段である。
【０１０９】
また、精算情報受信部１０２ｈは、代理店の代理店用端末装置２００から保険料の精算情報を受信する精算情報受信手段である。
【０１１０】
また、決済処理部１０２ｉは、支払条件指示手段にて指示された支払条件に従って、精算情報から振替情報、引落情報、または、振込情報を作成して、当該支払条件にて指定された金融機関の金融機関システム４００に対して送信することにより、当該金融機関システム４００に対して保険料の決済を依頼する決済処理手段である。
【０１１１】
ここで、決済処理部１０２ｉは、図９に示すように、Ｗｅｂ振替部１０２ｋ、自動引落部１０２ｍ、および、インターネット振込部１０２ｎを備えて構成される。図９は、決済処理部１０２ｉの構成の一例を説明するブロック図である。
【０１１２】
図９においてＷｅｂ振替部１０２ｋは、精算情報から振替情報を作成して、支払条件にて指定された金融機関の金融機関システム４００に対して送信するＷｅｂ振替手段である。
【０１１３】
また、自動引落部１０２ｍは、精算情報から引落情報を作成して、支払条件にて指定された金融機関の金融機関システム４００に対して送信する自動引落手段である。
【０１１４】
また、インターネット振込部１０２ｎは、精算情報から振込情報を作成して、支払条件にて指定された金融機関の金融機関システム４００に対して送信するインターネット振込手段である。
【０１１５】
再び図３に戻り、支払結果確認部１０２ｊは、決済を行った金融機関システム４００から支払結果を受信し、当該支払結果が正常に実行されたか否かを確認する支払結果確認手段である。
なお、これら各部によって行なわれる処理の詳細については、後述する。
【０１１６】
［システム構成−代理店用端末装置２００］
次に、代理店用端末装置２００の構成について説明する。
図１０は、本発明が適用される代理店用端末装置２００の構成の一例を示すブロック図であり、該構成のうち本発明に関係する部分のみを概念的に示している。この図１０に示すように、代理店用端末装置２００は、概略的には、制御部２１０、ＲＯＭ２２０、ＨＤ２３０、ＲＡＭ２４０、入力装置２５１、出力装置２６０、入出力制御ＩＦ２７０、および、通信制御ＩＦ２８０を備えて構成されており、これら各部がバスを介してデータ通信可能に接続されている。
【０１１７】
この代理店用端末装置２００の制御部２１０は、Ｗｅｂブラウザ２１１および電子メーラ２１２を備えて構成されている。このうち、Ｗｅｂブラウザ２１１は、基本的には、Ｗｅｂデータを解釈して、後述するモニタ２６１に表示させる表示制御（ブラウズ処理）を行うものである。また、Ｗｅｂブラウザ２１１は、ストリーム映像の受信、表示、フィードバック等を行う機能を備えたストリームプレイヤ等の各種のソフトウェアをプラグインしてもよい。また、電子メーラ２１２は、所定の通信規約（例えば、ＳＭＴＰ（Ｓｉｍｐｌｅ  Ｍａｉｌ  Ｔｒａｎｓｆｅｒ  Ｐｒｏｔｏｃｏｌ）やＰＯＰ３（Ｐｏｓｔ  Ｏｆｆｉｃｅ  Ｐｒｏｔｏｃｏｌ  ｖｅｒｓｉｏｎ  ３）等）に従って、電子メールの送受信を行う。
【０１１８】
また、入力装置２５１としては、キーボード、マウス、および、マイク等を用いることができる。また、後述するモニタ２６１も、マウスと協働してポインティングデバイス機能を実現する。
【０１１９】
また、出力装置２６０としては、モニタ（家庭用テレビを含む）２６１、および、プリンタ２６２が設けられている。この他、出力装置２６０としては、スピーカ等を用いることができる。出力装置２６０は、通信制御ＩＦ２８０を介して受信された情報を出力する出力手段である。
【０１２０】
また、通信制御ＩＦ２８０は、代理店用端末装置２００とネットワーク３００（またはルータ等の通信装置）との間における通信制御を行う。この通信制御ＩＦ２８０は、保険料精算システム１００から送信された情報を受信する受信手段である。
【０１２１】
このように構成された代理店用端末装置２００は、モデム、ＴＡ、ルータ等の通信装置と電話回線を介して、あるいは、専用線を介して、ネットワーク３００に接続されており、所定の通信規約（たとえば、ＴＣＰ／ＩＰインターネットプロトコル）に従って保険料精算システム１００にアクセスすることができる。
【０１２２】
［システム構成−保険会社センターシステム２５０］
次に、保険会社センターシステム２５０の構成について説明する。保険会社センターシステム２５０は、ネットワーク３００を介して、保険料精算システム１００と代理店用端末装置２００と相互に接続され、代理店に対して保険業務に関する情報を送受信するウェブサイトを提供する機能を有する。ここで、保険会社センターシステム２５０は、ＷＥＢサーバやＡＳＰサーバ等として構成してもよく、そのハードウェア構成は、一般に市販されるワークステーション、パーソナルコンピュータ等の情報処理装置およびその付属装置により構成してもよい。また、以下に説明する保険会社センターシステム２５０の各機能は、保険会社センターシステム２５０のハードウェア構成中のＣＰＵ、ディスク装置、メモリ装置、入力装置、出力装置、通信制御装置等およびそれらを制御するプログラム等により実現される。
【０１２３】
［システム構成−ネットワーク３００］
次に、ネットワーク３００の構成について説明する。ネットワーク３００は、保険料精算システム１００と代理店用端末装置２００とを相互に接続する機能を有し、例えば、インターネット等である。
【０１２４】
［システム構成−金融機関システム４００］
次に、金融機関システム４００の構成について説明する。金融機関システム４００は、ネットワーク３００を介して、保険料精算システム１００と代理店用端末装置２００と保険会社センターシステム２５０と相互に接続され、利用者に対して各種の金融サービス（例えば、口座管理サービス、Ｗｅｂ振替サービス、自動引落サービス、インターネット振込（送金）サービスなど）を行うウェブサイトを提供する機能を有する。ここで、金融機関システム４００は、ＷＥＢサーバやＡＳＰサーバ等として構成してもよく、そのハードウェア構成は、一般に市販されるワークステーション、パーソナルコンピュータ等の情報処理装置およびその付属装置により構成してもよい。また、以下に説明する金融機関システム４００の各機能は、金融機関システム４００のハードウェア構成中のＣＰＵ、ディスク装置、メモリ装置、入力装置、出力装置、通信制御装置等およびそれらを制御するプログラム等により実現される。
【０１２５】
［システムの処理］
次に、このように構成された本実施の形態における本システムの処理の一例について、以下に図１１〜図２１等を参照して詳細に説明する。なお、以下の実施例において、代理店用端末装置２００のモニタ２６１に表示される各種の画面情報は、特記しない限り保険料精算システム１００が作成して代理店用端末装置２００に送信している場合を一例に説明するが、本発明はこの場合に限定されるものではなく、代理店用端末装置２００の記憶部に予め画面情報を格納しておき、代理店用端末装置２００の制御部２１０の制御により必要な画面情報を適宜読み出して表示してもよい。
【０１２６】
［ＷＥＢ連動決済による代理店からの保険料徴収処理］
まず、このように構成された本システムを用いて行なわれる本方法としてのＷＥＢ連動決済による代理店からの保険料徴収処理の詳細について図１１〜図１４などを参照して説明する。
図１１は、本実施形態における本システムのＷＥＢ連動決済による代理店からの保険料徴収処理の一例を示すフローチャートである。また、図１４は、本実施形態における本システムのＷＥＢ連動決済による代理店からの保険料徴収処理の一例を示す概念図である。
【０１２７】
まず、代理店用端末装置２００は、保険料精算システム１００の提供するウェブサイトのアドレス（ＵＲＬ等）を代理店がＷｅｂブラウザ２１１の表示される画面上で入力装置２５１を介して指定することにより、インターネットを介して、保険料精算システム１００に接続する。
【０１２８】
具体的には、代理店が、代理店用端末装置２００のＷｅｂブラウザ２１１を起動し、このＷｅｂブラウザ２１１の所定の入力欄に、本システムの代理店システムＷｅｂ画面に対応する所定のＵＲＬを入力する。そして、代理店が、このＷｅｂブラウザ２１１の画面更新を指示すると、Ｗｅｂブラウザ２１１は、このＵＲＬを通信制御ＩＦ２８０を介して所定の通信規約にて送信し、このＵＲＬに基づくルーティングによって保険料精算システム１００に対する代理店システムＷｅｂ画面用Ｗｅｂページの送信要求を行う。
【０１２９】
ついで、保険料精算システム１００の要求解釈部１０２ａは、代理店用端末装置２００からの送信の有無を監視しており、送信を受けると、この送信の内容を解析し、その結果に応じて当該制御部１０２内の各部に処理を移す。送信の内容が代理店システムＷｅｂ画面用Ｗｅｂページの送信要求である場合には、主として閲覧処理部１０２ｂの制御下において、記憶部１０６から代理店システムＷｅｂ画面用Ｗｅｂページを表示するためのＷｅｂデータを取得し、このＷｅｂデータを通信制御インターフェース部１０４を介して代理店用端末装置２００に送信する。ここで、保険料精算システム１００から代理店用端末装置２００へデータ送信を行う際の代理店用端末装置２００の特定は、代理店用端末装置２００から送信要求と共に送信されたＩＰアドレスを用いて行う。
【０１３０】
なお、このように代理店からＷｅｂページの送信要求があった場合には、代理店に代理店ＩＤおよびパスワードの入力を求め、認証処理部１０２ｃが代理店情報データベース１０６ａに格納されている代理店ＩＤおよびパスワードに基づいて認証可否を判断し、認証可の場合にのみＷｅｂページを閲覧させてもよい（以下においても同様であるためその詳細を省略する）。
【０１３１】
この代理店用端末装置２００は、保険料精算システム１００からのＷｅｂデータを通信制御ＩＦ２８０を介して受信し、このデータをＷｅｂブラウザ２１１にて解釈することにより、モニタ２６１に代理店システムＷｅｂ画面用Ｗｅｂページを表示する。以下、代理店用端末装置２００から保険料精算システム１００への画面要求と、保険料精算システム１００から代理店用端末装置２００へのＷｅｂデータの送信、および、代理店用端末装置２００におけるＷｅｂページの表示はほぼ同様に行われるものとし、以下ではその詳細を省略する。
【０１３２】
この代理店システムＷｅｂ画面を図１２に例示する。図１２に示すように代理店システムＷｅｂ画面は、例えば、代理店名の入力領域ＭＡ−１、精算日の入力領域ＭＡ−２、商品分類の入力領域ＭＡ−３、契約ＩＤの入力領域ＭＡ−４、商品コードの入力領域ＭＡ−５、入金受入額の入力領域ＭＡ−６、総件数の入力領域ＭＡ−７、入金受入総額の入力領域ＭＡ−８、確認ボタンＭＡ−９等を含んで構成されている。
【０１３３】
そして、代理店が代理店用端末装置２００の入力装置２５１を介していずれかの入力領域ＭＡ−１〜ＭＡ−８を選択し、所定の契約明細情報（保険料の精算情報）を入力し、さらに、確認ボタンＭＡ−９をマウス等で選択すると、入力情報を特定するための識別子が保険料精算システム１００に送信される（ステップＳＢ−１）。
【０１３４】
そして、保険料精算システム１００の要求解釈部１０２ａは、この識別子を解析することによって、代理店用端末装置２００からの要求の内容を解析する（代理店用端末装置２００から保険料精算システム１００への要求内容の識別については、以下の処理においてもほぼ同様に行われるものとし、以下ではその詳細を省略する）。
【０１３５】
そして、保険料精算システム１００は、精算情報受信部１０２ｈの処理により、代理店の代理店用端末装置２００から保険料の精算情報を受信すると、当該精算情報を精算情報データベース１０６ｂの所定の記憶領域に格納する。
【０１３６】
そして、保険料精算システム１００は、支払条件指示部１０２ｇの処理により、代理店用端末装置２００に対して支払条件のうち支払方法を代理店に指示させるための支払方法指示画面を送信する。
【０１３７】
そして、代理店用端末装置２００は、保険料精算システム１００から受信した支払方法指示画面をモニタに表示する。ここで、代理店が、支払方法指示画面上で「▲１▼Ｗｅｂ連動決済（Ｗｅｂ振替）」を選択すると、代理店用端末装置２００は当該指示された支払条件情報を保険料精算システム１００に対して送信する（ステップＳＢ−２）。
【０１３８】
そして、保険料精算システム１００は、代理店用端末装置２００から支払条件情報を受信すると、決済処理部１０２ｉの処理により、代理店情報データベース１０６ａにアクセスして代理店が予め指定した金融機関の収納口座を選択する（ステップＳＢ−３）。
【０１３９】
そして、決済処理部１０２ｉは、Ｗｅｂ振替部１０２ｋの処理により、代理店の精算情報から振替情報を作成して、振替情報データベース１０６ｃの所定の記憶領域に格納する。
【０１４０】
そして、保険料精算システム１００は、Ｗｅｂページ生成部１０２ｅの処理により、代理店情報データベース１０６ａおよび振替情報データベース１０６ｃを参照して、Ｗｅｂ振替画面用Ｗｅｂページを作成する。
【０１４１】
そして、保険料精算システム１００は、送信部１０２ｆの処理により、当該Ｗｅｂ振替画面用Ｗｅｂページを代理店用端末装置２００に対して送信する。
【０１４２】
ここで、図１３は、代理店用端末装置２００のモニタに表示されるＷｅｂ振替画面の一例を示す図である。図１３に示すように、Ｗｅｂ振替画面は、代理店ＩＤ（代理店名）の表示領域ＭＢ−１、振替日の表示領域ＭＢ−２、保険料入金合計の表示領域ＭＢ−３、保険分類の表示領域ＭＢ−４、件数の表示領域ＭＢ−５、金額の表示領域ＭＢ−６、合計件数の表示領域ＭＢ−７、合計金額の表示領域ＭＢ−８、振替処理を実行する金融機関等の表示領域ＭＢ−９、振替実行ボタンＭＢ−１０、入力訂正ボタンＭＢ−１１等を含んで構成される。
【０１４３】
ここで、代理店がＭＢ−１〜ＭＢ−９に表示された各種の振替情報を確認し、振替ボタンＭＢ−１０をマウス等で選択すると、代理店用端末装置２００は、確認通知を保険料精算システム１００に対して送信する。
【０１４４】
再び図１１に戻り、保険料精算システム１００は、確認通知を受信すると、Ｗｅｂ振替部１０２ｋの処理により、代理店により確認された支払内容に対応する振替情報を、金融機関が指定するフォーマットに整形し、金融機関システム４００に対して送信する（ステップＳＢ−４）。
【０１４５】
そして、金融機関システム４００は、受信した振替情報に従って、代理店の収容口座から保険会社の収容口座に対して保険料の決済操作（振替処理）を実行する（ステップＳＢ−５）。
【０１４６】
そして、金融機関システム４００は、振替処理の処理結果を保険料精算システム１００に対して送信すると、保険料精算システム１００は、支払結果確認部１０２ｊの処理により、支払結果の確認を行う（ステップＳＢ−６）。
【０１４７】
そして、保険料精算システム１００は、支払結果と振替情報データベース１０６ｃに格納された対応する振替情報とを比較して決済状況の確認を行う（ステップＳＢ−７）。
【０１４８】
また、保険料精算システム１００は、支払結果確認部１０２ｊの処理により、支払結果の確認結果（ステップＳＢ−６）および決済状況の確認結果（ステップＳＢ−７）について、保険会社センターシステム２５０に対して送信する。
【０１４９】
また、図１４は、保険料精算システム１００および金融機関システム４００が上述したステップＳＢ−４からステップＳＢ−７において実行する各処理の詳細を概念的に示している。
これにて、ＷＥＢ連動決済による代理店からの保険料徴収処理が終了する。
【０１５０】
［自動引落による代理店からの保険料徴収処理］
次に、このように構成された本システムを用いて行なわれる本方法としての自動引落による代理店からの保険料徴収処理の詳細について図１５〜図１８などを参照して説明する。
【０１５１】
図１５は、本実施形態における本システムの自動引落による代理店からの保険料徴収処理の一例を示すフローチャートである。また、図１７および図１８は、本実施形態における本システムの自動引落による代理店からの保険料徴収処理の一例を示す概念図である。ここで、当日の１７時までに自動引落指示が金融機関システム４００に到着した場合には、図１７に示すように当日の自動引落処理が実行され、また、当日分の１７時以降に自動引落指示が金融機関システム４００に到着した場合には、図１８に示すように翌日分の自動引落処理が実行される。
【０１５２】
まず、代理店用端末装置２００は、上述したように、保険料精算システム１００の提供するウェブサイトのアドレス（ＵＲＬ等）を代理店がＷｅｂブラウザ２１１の表示される画面上で入力装置２５１を介して指定することにより、インターネットを介して、保険料精算システム１００に接続し、代理店システムＷｅｂ画面を表示する。
【０１５３】
そして、代理店が代理店用端末装置２００の入力装置２５１を介して図１２で示した代理店システムＷｅｂ画面のいずれかの入力領域ＭＡ−１〜ＭＡ−８を選択し、所定の契約明細情報（保険料の精算情報）を入力し、さらに、確認ボタンＭＡ−９をマウス等で選択すると、入力情報を特定するための識別子が保険料精算システム１００に送信される（ステップＳＣ−１）。
【０１５４】
そして、保険料精算システム１００は、精算情報受信部１０２ｈの処理により、代理店の代理店用端末装置２００から保険料の精算情報を受信すると、当該精算情報を精算情報データベース１０６ｂの所定の記憶領域に格納する。
【０１５５】
そして、保険料精算システム１００は、支払条件指示部１０２ｇの処理により、代理店用端末装置２００に対して支払条件のうち支払方法を代理店に指示させるための支払方法指示画面を送信する。
【０１５６】
そして、代理店用端末装置２００は、保険料精算システム１００から受信した支払方法指示画面をモニタに表示する。ここで、代理店が、支払方法指示画面上で「▲２▼自動引落」を選択すると、代理店用端末装置２００は当該指示された支払条件情報を保険料精算システム１００に対して送信する（ステップＳＣ−２）。
【０１５７】
そして、保険料精算システム１００は、代理店用端末装置２００から支払条件情報を受信すると、決済処理部１０２ｉの処理により、代理店情報データベース１０６ａにアクセスして代理店が予め指定した金融機関の収納口座を選択する（ステップＳＣ−３）。
【０１５８】
そして、決済処理部１０２ｉは、自動引落部１０２ｍの処理により、代理店の精算情報から引落情報を作成して、引落情報データベース１０６ｄの所定の記憶領域に格納する。
【０１５９】
そして、保険料精算システム１００は、Ｗｅｂページ生成部１０２ｅの処理により、代理店情報データベース１０６ａおよび引落情報データベース１０６ｄを参照して、自動引落画面用Ｗｅｂページを作成する。
【０１６０】
そして、保険料精算システム１００は、送信部１０２ｆの処理により、当該自動引落画面用Ｗｅｂページを代理店用端末装置２００に対して送信する。
【０１６１】
ここで、図１６は、代理店用端末装置２００のモニタに表示される自動引落画面の一例を示す図である。図１６に示すように、自動引落画面は、代理店ＩＤ（代理店名）の表示領域ＭＣ−１、引落日の表示領域ＭＣ−２、保険料入金合計の表示領域ＭＣ−３、保険分類の表示領域ＭＣ−４、件数の表示領域ＭＣ−５、金額の表示領域ＭＣ−６、合計件数の表示領域ＭＣ−７、合計金額の表示領域ＭＣ−８、引落処理を実行する金融機関等の表示領域ＭＣ−９、完了ボタンＭＣ−１０、入力訂正ボタンＭＣ−１１等を含んで構成される。
【０１６２】
ここで、代理店がＭＣ−１〜ＭＣ−９に表示された各種の引落情報を確認し、完了ボタンＭＣ−１０をマウス等で選択すると、代理店用端末装置２００は、確認通知を保険料精算システム１００に対して送信する。
【０１６３】
再び図１５に戻り、保険料精算システム１００は、確認通知を受信すると、自動引落部１０２ｍの処理により、代理店により確認された支払内容に対応する引落情報を、保険会社センターシステム２５０に対して送信する（ステップＳＣ−４およびステップＳＣ−５）。
【０１６４】
そして、保険料精算システム１００は、保険会社センターシステム２５０から支払方法および引落の確認を指示する情報を受信すると、自動引落部１０２ｍの処理により、引落情報を金融機関が指定するフォーマットに整形して自動振替ファイルを作成し（ステップＳＣ−６）、金融機関システム４００に対して送信することにより金融機関に対して自動引落（不動振替）を指示する（ステップＳＣ−７）。
【０１６５】
そして、金融機関システム４００は、受信した引落情報に従って、代理店の収容口座から保険会社の収容口座に対して保険料の引落処理（自動振替処理）を実行する（ステップＳＣ−８）。
【０１６６】
そして、金融機関システム４００は、引落処理の処理結果を保険料精算システム１００に対して送信すると、保険料精算システム１００は、支払結果確認部１０２ｊの処理により、支払結果の確認を行う（ステップＳＣ−９）。
【０１６７】
そして、保険料精算システム１００は、支払結果と振替情報データベース１０６ｃに格納された対応する引落情報とを比較して決済状況の確認を行う（ステップＳＣ−９）。
【０１６８】
また、保険料精算システム１００は、支払結果確認部１０２ｊの処理により、支払結果の確認結果および決済状況の確認結果（ステップＳＣ−９）について、保険会社センターシステム２５０に対して送信する。
【０１６９】
また、図１７および図１８は、保険料精算システム１００および金融機関システム４００が上述したステップＳＣ−４からステップＳＣ−９において実行する各処理の詳細を概念的に示している。
これにて、自動引落による代理店からの保険料徴収処理が終了する。
【０１７０】
［インターネット振込による代理店からの保険料徴収処理］
次に、このように構成された本システムを用いて行なわれる本方法としてのインターネット振込による代理店からの保険料徴収処理の詳細について図１９〜図２１などを参照して説明する。
【０１７１】
図１９は、本実施形態における本システムのインターネット振込による代理店からの保険料徴収処理の一例を示すフローチャートである。また、図２１は、本実施形態における本システムのインターネット振込による代理店からの保険料徴収処理の一例を示す概念図である。
【０１７２】
まず、代理店用端末装置２００は、上述したように、保険料精算システム１００の提供するウェブサイトのアドレス（ＵＲＬ等）を代理店がＷｅｂブラウザ２１１の表示される画面上で入力装置２５１を介して指定することにより、インターネットを介して、保険料精算システム１００に接続し、代理店システムＷｅｂ画面を表示する。
【０１７３】
そして、代理店が代理店用端末装置２００の入力装置２５１を介して図１２で示した代理店システムＷｅｂ画面のいずれかの入力領域ＭＡ−１〜ＭＡ−８を選択し、所定の契約明細情報（保険料の精算情報）を入力し、さらに、確認ボタンＭＡ−９をマウス等で選択すると、入力情報を特定するための識別子が保険料精算システム１００に送信される（ステップＳＤ−１）。
【０１７４】
そして、保険料精算システム１００は、精算情報受信部１０２ｈの処理により、代理店の代理店用端末装置２００から保険料の精算情報を受信すると、当該精算情報を精算情報データベース１０６ｂの所定の記憶領域に格納する。
【０１７５】
そして、保険料精算システム１００は、支払条件指示部１０２ｇの処理により、代理店用端末装置２００に対して支払条件のうち支払方法を代理店に指示させるための支払方法指示画面を送信する。
【０１７６】
そして、代理店用端末装置２００は、保険料精算システム１００から受信した支払方法指示画面をモニタに表示する。ここで、代理店が、支払方法指示画面上で「▲３▼インターネット振込」を選択すると、代理店用端末装置２００は当該指示された支払条件情報を保険料精算システム１００に対して送信する（ステップＳＤ−２）。
【０１７７】
そして、保険料精算システム１００は、代理店用端末装置２００から支払条件情報を受信すると、決済処理部１０２ｉの処理により、代理店情報データベース１０６ａにアクセスして代理店が予め指定した金融機関の収納口座を選択する（ステップＳＤ−３）。
【０１７８】
そして、決済処理部１０２ｉは、インターネット振込部１０２ｎの処理により、代理店の精算情報から振込情報を作成して、振込情報データベース１０６ｅの所定の記憶領域に格納する。
【０１７９】
そして、保険料精算システム１００は、Ｗｅｂページ生成部１０２ｅの処理により、代理店情報データベース１０６ａおよび振込情報データベース１０６ｅを参照して、インターネット振込画面用Ｗｅｂページを作成する。
【０１８０】
そして、保険料精算システム１００は、送信部１０２ｆの処理により、当該インターネット振込画面用Ｗｅｂページを代理店用端末装置２００に対して送信する。
【０１８１】
ここで、図２０は、代理店用端末装置２００のモニタに表示されるインターネット振込画面の一例を示す図である。図２０に示すように、インターネット振込画面は、代理店ＩＤ（代理店名）の表示領域ＭＤ−１、振込日の表示領域ＭＤ−２、保険料入金合計の表示領域ＭＤ−３、保険分類の表示領域ＭＤ−４、件数の表示領域ＭＤ−５、金額の表示領域ＭＤ−６、合計件数の表示領域ＭＤ−７、合計金額の表示領域ＭＤ−８、振込処理を実行する金融機関等の表示領域ＭＤ−９、送金ボタンＭＤ−１０、入力訂正ボタンＭＤ−１１等を含んで構成される。
【０１８２】
ここで、代理店がＭＤ−１〜ＭＤ−９に表示された各種の振込情報を確認し、送金ボタンＭＤ−１０をマウス等で選択すると、代理店用端末装置２００は、確認通知を保険料精算システム１００に対して送信する。
【０１８３】
再び図１９に戻り、保険料精算システム１００は、確認通知を受信すると（ステップＳＤ−４）、インターネット振込部１０２ｎの処理により、代理店により確認された支払内容に対応する振込情報を金融機関が指定するフォーマットに整形してファイルを作成し、金融機関システム４００に対して送信することにより金融機関に対してインターネット振込を指示する（ステップＳＤ−５）。
【０１８４】
そして、金融機関システム４００は、受信した振込情報に従って、代理店の収容口座から保険会社の収容口座に対して保険料の振込処理（例えば、他行送金予約処理、他行送金処理など）を実行する（ステップＳＤ−６）。
【０１８５】
そして、金融機関システム４００は、振込処理の処理結果を保険料精算システム１００に対して送信すると、保険料精算システム１００は、支払結果確認部１０２ｊの処理により、支払結果の確認を行う（ステップＳＤ−７）。
【０１８６】
そして、保険料精算システム１００は、支払結果と振替情報データベース１０６ｃに格納された対応する振込情報とを比較して決済状況の確認を行う（ステップＳＤ−７）。
【０１８７】
また、保険料精算システム１００は、支払結果確認部１０２ｊの処理により、支払結果の確認結果および決済状況の確認結果（ステップＳＤ−７）について、保険会社センターシステム２５０に対して送信する。
【０１８８】
また、図２１は、保険料精算システム１００および金融機関システム４００が上述したステップＳＤ−４からステップＳＤ−７において実行する各処理の詳細を概念的に示している。
これにて、インターネット振込による代理店からの保険料徴収処理が終了する。
【０１８９】
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。
【０１９０】
例えば、図１〜図２１を用いて上述した実施の形態では、保険料精算システムおよび保険料精算方法について説明したが、「保険会社」を「フランチャイザー」に、「代理店」を「フランチャイジー」に、「保険料」を「フランチャイズ料」に適宜置換することにより、フランチャイズ料精算システムおよびフランチャイズ料精算方法について同様に説明することができる。すなわち、当業者であれば、上述した保険料精算システムおよび保険料精算方法に関する記載を、フランチャイズ料精算システムおよびフランチャイズ料精算方法に適用することは容易であるため、説明を省略する。
【０１９１】
また、上述した精算情報、振替情報、引落情報、振込情報などの送受信は、既存の電子メール送信技術を用いて実現してもよく、また、保険料精算システム１００等が提供するＷｅｂサイトの提供する機能により、所定の入力フォーマットを提示して利用者等に情報を入力させ、その入力情報を送信することにより実現してもよく、さらに、ＦＴＰ等の既存のファイル転送技術等により実現してもよい。
【０１９２】
また、実施形態において説明した各処理のうち、自動的に行なわれるものとして説明した処理の全部または一部を手動的に行うこともでき、あるいは、手動的に行なわれるものとして説明した処理の全部または一部を公知の方法で自動的に行うこともできる。
【０１９３】
この他、上記文書中や図面中で示した処理手順、制御手順、具体的名称、各種の登録データや検索条件等のパラメータを含む情報、画面例、データベース構成については、特記する場合を除いて任意に変更することができる。
【０１９４】
また、保険料精算システム１００に関して、図示の各構成要素は機能概念的なものであり、必ずしも物理的に図示の如く構成されていることを要しない。
例えば、保険料精算システム１００の各サーバが備える処理機能、特に制御部にて行なわれる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。なお、プログラムは、後述する記録媒体に記録されており、必要に応じて保険料精算システム１００に機械的に読み取られる。
【０１９５】
また、保険料精算システム１００は、さらなる構成要素として、マウス等の各種ポインティングデバイスやキーボードやイメージスキャナやデジタイザ等から成る入力装置（図示せず）、入力データのモニタに用いる表示装置（図示せず）、システムクロックを発生させるクロック発生部（図示せず）、および、各種処理結果その他のデータを出力するプリンタ等の出力装置（図示せず）を備えてもよく、また、入力装置、表示装置および出力装置は、それぞれ入出力インターフェースを介して制御部１０２に接続されてもよい。
【０１９６】
記憶部１０６に格納される各種のデータベース等（代理店情報データベース１０６ａ〜支払結果明細ファイル１０６ｆ）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやファイルやデータベースやウェブページ用ファイル等を格納する。
【０１９７】
また、保険料精算システム１００は、既知のパーソナルコンピュータ、ワークステーション等の情報処理端末等の情報処理装置にプリンタやモニタやイメージスキャナ等の周辺装置を接続し、該情報処理装置に本発明の方法を実現させるソフトウェア（プログラム、データ等を含む）を実装することにより実現してもよい。
【０１９８】
さらに、保険料精算システム１００の分散・統合の具体的形態は図示のものに限られず、その全部または一部を、各種の負荷等に応じた任意の単位で、機能的または物理的に分散・統合して構成することができる。例えば、各データベースを独立したデータベース装置として独立に構成してもよく、また、処理の一部をＣＧＩ（Ｃｏｍｍｏｎ  Ｇａｔｅｗａｙ  Ｉｎｔｅｒｆａｃｅ）を用いて実現してもよい。
【０１９９】
また、代理店用端末装置２００は、既知のパーソナルコンピュータ、ワークステーション、家庭用ゲーム装置、インターネットＴＶ、ＰＨＳ端末、携帯端末、移動体通信端末またはＰＤＡ等の情報処理端末等の情報処理装置にプリンタやモニタやイメージスキャナ等の周辺装置を必要に応じて接続し、該情報処理装置にウェブ情報のブラウジング機能や電子メール機能を実現させるソフトウェア（プログラム、データ等を含む）を実装することにより実現してもよい。
【０２００】
この代理店用端末装置２００の制御部２１０は、その全部または任意の一部を、ＣＰＵおよび当該ＣＰＵにて解釈実行されるプログラムにて実現することができる。すなわち、ＲＯＭまたはＨＤには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０２０１】
しかしながら、このコンピュータプログラムは、代理店用端末装置２００に対して任意のネットワークを介して接続されたアプリケーションプログラムサーバに記録されてもよく、必要に応じてその全部または一部をダウンロードすることも可能である。このあるいは、各制御部の全部または任意の一部を、ワイヤードロジック等によるハードウェアとして実現することも可能である。
【０２０２】
また、本発明にかかるプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」や、各種コンピュータシステムに内蔵されるＲＯＭ、ＲＡＭ、ＨＤ等の任意の「固定用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【０２０３】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０２０４】
また、ネットワーク３００は、保険料精算システム１００と代理店用端末装置２００とを相互に接続する機能を有し、例えば、インターネットや、イントラネットや、ＬＡＮ（有線／無線の双方を含む）や、ＶＡＮや、パソコン通信網や、公衆電話網（アナログ／デジタルの双方を含む）や、専用回線網（アナログ／デジタルの双方を含む）や、ＣＡＴＶ網や、ＩＭＴ２０００方式、ＧＳＭ方式またはＰＤＣ／ＰＤＣ―Ｐ方式等の携帯回線交換網／携帯パケット交換網や、無線呼出網や、Ｂｌｕｅｔｏｏｔｈ等の局所無線網や、ＰＨＳ網や、ＣＳ、ＢＳまたはＩＳＤＢ等の衛星通信網等のうちいずれかを含んでもよい。すなわち、本システムは、有線・無線を問わず任意のネットワークを介して、各種データを送受信することができる。
【０２０５】
【発明の効果】
以上詳細に説明したように、本発明によれば、代理店に対して、保険料の精算時の支払条件を指示させ、代理店の代理店用端末装置から保険料の精算情報を受信し、指示された支払条件に従って、精算情報から振替情報、引落情報、または、振込情報を作成して、当該支払条件にて指定された金融機関システムに対して送信することにより、当該金融機関システムに対して保険料の決済を依頼するので、保険会社および各代理店の双方の個別事情に対応した臨機応変な保険料の精算手段を選択することができる保険料精算システム、保険料精算方法、プログラム、および、記録媒体を提供することができる。
【０２０６】
また、本発明によれば、既存の代理店システムや、金融機関システムの機能を有効に利用、組合せし、多機能な精算処理を実現することができる。すなわち、従来の代理店業務システムや金融機関システムの改造の負荷を最小限にし、かつ、初期コストやランニングコストを最小限にすることができる。また、将来の機能変更に対して柔軟性、拡張性を持たせることができる保険料精算システム、保険料精算方法、プログラム、および、記録媒体を提供することができる。
【０２０７】
また、本発明によれば、支払条件は、Ｗｅｂ振替、自動引落、または、インターネット振込のうちいずれかの決済方法に関する条件であるので、代理店は、これらの既存の決済方法から任意の精算方法を選択することができる保険料精算システム、保険料精算方法、プログラム、および、記録媒体を提供することができる。
【０２０８】
また、本発明によれば、決済を行った金融機関システムから支払結果を受信し、当該支払結果が正常に実行されたか否かを確認するので、決済結果の確認をスムーズに行うことができるようになり、さらに、代理店や保険会社に対して確認結果を通知することができる保険料精算システム、保険料精算方法、プログラム、および、記録媒体を提供することができる。
【０２０９】
また、本発明によれば、フランチャイジーに対して、フランチャイズ料の精算時の支払条件を指示させ、フランチャイジーのフランチャイジー用端末装置からフランチャイズ料の精算情報を受信し、指示された支払条件に従って、精算情報から振替情報、引落情報、または、振込情報を作成して、当該支払条件にて指定された金融機関システムに対して送信することにより、当該金融機関システムに対してフランチャイズ料の決済を依頼するので、フランチャイザーおよび各フランチャイジーの双方の個別事情に対応した臨機応変なフランチャイズ料の精算手段を選択することができるフランチャイズ料精算システム、フランチャイズ料精算方法、プログラム、および、記録媒体を提供することができる。
【０２１０】
また、本発明によれば、既存のフランチャイジーシステムや、金融機関システムの機能を有効に利用、組合せし、多機能な精算処理を実現することができる。
すなわち、従来のフランチャイジー業務システムや金融機関システムの改造の負荷を最小限にし、かつ、初期コストやランニングコストを最小限にすることができる。また、将来の機能変更に対して柔軟性、拡張性を持たせることができるフランチャイズ料精算システム、フランチャイズ料精算方法、プログラム、および、記録媒体を提供することができる。
【０２１１】
また、本発明によれば、支払条件は、Ｗｅｂ振替、自動引落、または、インターネット振込のうちいずれかの決済方法に関する条件であるので、フランチャイジーは、これらの既存の決済方法から任意の精算方法を選択することができるフランチャイズ料精算システム、フランチャイズ料精算方法、プログラム、および、記録媒体を提供することができる。
【０２１２】
さらに、本発明によれば、決済を行った金融機関システムから支払結果を受信し、当該支払結果が正常に実行されたか否かを確認するので、決済結果の確認をスムーズに行うことができるようになり、さらに、フランチャイジーやフランチャイザーに対して確認結果を通知することができるフランチャイズ料精算システム、フランチャイズ料精算方法、プログラム、および、記録媒体を提供することができる。
【図面の簡単な説明】
【図１】本システムの全体構成の一例を示すブロック図である。
【図２】本発明の基本原理を説明する概念図である。
【図３】本発明が適用される保険料精算システム１００の構成の一例を示すブロック図である。
【図４】代理店情報データベース１０６ａに格納される代理店情報の一例を示す図である。
【図５】精算情報データベース１０６ｂに格納される情報の一例を示す図である。
【図６】振替情報データベース１０６ｃに格納される情報の一例を示す図である。
【図７】引落情報データベース１０６ｄに格納される情報の一例を示す図である。
【図８】振込情報データベース１０６ｅに格納される情報の一例を示す図である。
【図９】決済処理部１０２ｉの構成の一例を説明するブロック図である。
【図１０】本発明が適用される代理店用端末装置２００の構成の一例を示すブロック図である。
【図１１】本実施形態における本システムのＷＥＢ連動決済による代理店からの保険料徴収処理の一例を示すフローチャートである。
【図１２】代理店用端末装置２００のモニタに表示される代理店システムＷｅｂ画面の一例を示す図である。
【図１３】代理店用端末装置２００のモニタに表示されるＷｅｂ振替画面の一例を示す図である。
【図１４】本実施形態における本システムのＷＥＢ連動決済による代理店からの保険料徴収処理の一例を示す概念図である。
【図１５】本実施形態における本システムの自動引落による代理店からの保険料徴収処理の一例を示すフローチャートである。
【図１６】代理店用端末装置２００のモニタに表示される自動引落画面の一例を示す図である。
【図１７】本実施形態における本システムの自動引落による代理店からの保険料徴収処理の一例を示す概念図である。
【図１８】本実施形態における本システムの自動引落による代理店からの保険料徴収処理の一例を示す概念図である。
【図１９】本実施形態における本システムのインターネット振込による代理店からの保険料徴収処理の一例を示すフローチャートである。
【図２０】
代理店用端末装置２００のモニタに表示されるインターネット振込画面の一例を示す図である。
【図２１】本実施形態における本システムのインターネット振込による代理店からの保険料徴収処理の一例を示す概念図である。
【符号の説明】
１００  保険料精算システム
１０２  制御部
１０２ａ  要求解釈部
１０２ｂ  閲覧処理部
１０２ｃ  認証処理部
１０２ｄ  電子メール生成部
１０２ｅ  Ｗｅｂページ生成部
１０２ｆ  送信部
１０２ｇ  支払条件指示部
１０２ｈ  精算情報受信部
１０２ｉ  決済処理部
１０２ｊ  支払結果確認部
１０２ｋ  Ｗｅｂ振替部
１０２ｍ  自動引落部
１０２ｎ  インターネット振込部
１０４  通信制御インターフェース部
１０６  記憶部
１０６ａ  代理店情報データベース
１０６ｂ  精算情報データベース
１０６ｃ  振替情報データベース
１０６ｄ  引落情報データベース
１０６ｅ  振込情報データベース
１０６ｆ  支払結果明細ファイル
１０８  入出力制御インターフェース部
１１２  入力装置
１１４  出力装置
２００  代理店用端末装置
２１０  制御部
２１１  Ｗｅｂブラウザ
２１２  電子メーラ
２２０  ＲＯＭ
２３０  ＨＤ
２４０  ＲＡＭ
２５１  入力装置
２６０  出力装置
２６１  モニタ
２６２  プリンタ
２７０  入出力制御インターフェース
２８０  通信制御インターフェース
２５０  保険会社センターシステム
３００  ネットワーク
４００  金融機関システム
【図１】
2004152080.tif 000003
【図２】
2004152080.tif 000004
【図３】
2004152080.tif 000005
【図４】
2004152080.tif 000006
【図５】
2004152080.tif 000007
【図６】
2004152080.tif 000008
【図７】
2004152080.tif 000009
【図８】
2004152080.tif 000010
【図９】
2004152080.tif 000011
【図１０】
2004152080.tif 000012
【図１１】
2004152080.tif 000013
【図１２】
2004152080.tif 000014
【図１３】
2004152080.tif 000015
【図１４】
2004152080.tif 000016
【図１５】
2004152080.tif 000017
【図１６】
2004152080.tif 000018
【図１７】
2004152080.tif 000019
【図１８】
2004152080.tif 000020
【図１９】
2004152080.tif 000021
【図２０】
2004152080.tif 000022
【図２１】
2004152080.tif 000023